(57)【要約】【課題】  余分な作業を必要とせず、遮熱機能を有する屋根下地や壁下地の施工をすることができ、さらに通気性が確保された構造用面材を提供する。【解決手段】  屋根下地１ａ又は壁下地１ｂの施工に用いられる構造用面材１であって、基材２０と、アルミ箔１１とポリエチレン２１を複合したアルミ箔複合フィルム１０と、を有し、そのアルミ箔複合フィルム１０には複数の貫通孔が設けられていることとし、さらに、アルミ箔複合フィルム１０はクラフト紙を合せて複合したり、アルミ箔１１の表裏の両面にポリエチレン２１を複合したものでもよい。【選択図】図１
2017071893.tif 000002
【特許請求の範囲】
【請求項１】
屋根下地又は壁下地の施工に用いられる構造用面材であって、
基材と、アルミ箔とポリエチレンを複合したアルミ箔複合フィルムと、を有し、
前記アルミ箔複合フィルムには複数の貫通孔が設けられていることを特徴とする構造用面材。
【請求項２】
前記アルミ箔複合フィルムは、前記アルミ箔と前記ポリエチレンに加えクラフト紙も合せて複合したものであることを特徴とする請求項１に記載の構造用面材。
【請求項３】
前記アルミ箔複合フィルムは、前記アルミ箔の表裏の両面にポリエチレンを複合したものであることを特徴とする請求項１又は２に記載の構造用面材。
【発明の詳細な説明】
【技術分野】
【０００１】
本発明は、屋根又は壁の下地材として用いられ、遮熱機能を有する構造用面材に関するものである。
【背景技術】
【０００２】
建物の屋根や壁に遮熱機能を付与するために、石膏ボードやＯＳＢ（配向性ストランドボード）、針葉樹合板等の構造用面材や下地材に、現場においてアルミ蒸着複合シートを施工することがある。しかし、現場施工の場合は、そのような作業は非常に煩雑であり、また、品質が安定しないといった懸念がある。
【０００３】
そこで、特許文献１には、石膏ボード等に予めシート状体としてのアルミ箔を接着剤で貼設した遮熱構造が開示されている。なお、このアルミ箔間には、所定幅を有する長尺のシート状体としてのアルミ箔テープが間隙に沿って跨らせて、施工現場にて貼設されることにより、間隙が閉塞されて連続するようにしている。
【０００４】
このように予めアルミ箔を石膏ボード等に貼設した構造用面材は既に考えられているが、このような構造用面材では遮熱の効果は期待できるものの、基材に含まれる湿気が排出されないことによって、カビや腐食が生じるおそれがある。つまり、遮熱効果を発揮すると同時に、通気性の問題を解消する必要がある。
【先行技術文献】
【特許文献】
【０００５】
【特許文献１】特開２００１−２４８２４５号公報
【発明の概要】
【発明が解決しようとする課題】
【０００６】
斯かる事情に鑑み、本発明は、遮熱効果を発揮するアルミ箔複合フィルムを予め基材に接着することで、在来施工と同工程で遮熱効果を有する屋根下地や壁下地の施工をすることができ、かつ、通気性が確保された構造用面材を提供することを目的とする。
【課題を解決するための手段】
【０００７】
本発明の構造用面材は、屋根下地又は壁下地の施工に用いられる構造用面材であって、基材と、アルミ箔とポリエチレンを複合したアルミ箔複合フィルムと、を有し、そのアルミ箔複合フィルムには複数の貫通孔が設けられていることとする。
【０００８】
ここで、前記アルミ箔複合フィルムは、アルミ箔とポリエチレンに加えクラフト紙も合せて複合したものでもよく、また、アルミ箔の表裏の両面にポリエチレンを複合したものでもよい。
【発明の効果】
【０００９】
本発明によれば、遮熱効果を発揮するアルミ箔複合フィルムが構造用面材に予め接着されているので、現場において在来施工と同工程で、遮熱機能を有する屋根下地や壁下地の施工ができるという効果を奏する。また、アルミ箔複合フィルムには複数の貫通孔が設けられているので、遮熱機能と併せて通気性を確保することができる。
【００１０】
また、ポリエチレンやクラフト紙を複合することで、アルミ箔が貫通孔を起点として破れることを抑止することができる。さらに、アルミ箔の表裏の両面をポリエチレンで複合することで、アルミ箔の表面を保護することもできる。
【図面の簡単な説明】
【００１１】
【図１】本発明の構造用面材の斜視図である。
【図２】本発明の構造用面材の断面図である。
【図３】本発明の構造用面材の施工位置を示すイメージ図である。
【発明を実施するための形態】
【００１２】
以下、本発明の実施の形態を添付図面を参照しながら説明する。
【００１３】
図１は、本発明の構造用面材の斜視図であり、図２は本発明の構造用面材の断面図である。断面図は、図１のＡ−Ａ断面を図示したものである。
【００１４】
本発明の構造用面材１は、建物の屋根や壁の下地材として用いられるものであって、基材２０の上に、クラフト紙２２、ポリエチレン２１、アルミ箔１１を複合したアルミ箔複合フィルム１０を接着したものである。なお、複合とは、アルミ箔１１、ポリエチレン２１、クラフト紙２２等を積層して一体化することであり、具体的には熱融着による複合が一般的であるが、一体化できれば熱融着以外の方法であってもよい。また、構造用面材１は下地材なので、基材２０の材質は、ＯＳＢや針葉樹合板等の木材の場合もあるし、石膏ボードの場合もある。なお、クラフト紙２２は、一般的な５０ｇ／ｍ２のものでよい。
【００１５】
構造用面材１の製造方法は、まず、アルミ箔１１、ポリエチレン２１、クラフト紙２２を積層し、熱融着等によって複合する。そして、その複合フィルムに貫通孔１０ａを複数箇所あけることで、本発明に係るアルミ箔複合フィルム１０を形成する。そして、そのアルミ箔複合フィルム１０を基材２０に接着することで、本発明の構造用面材１となる。なお、接着剤は一般的なものでよく、クラフト紙２２と基材２０が剥がれないように接着できればよい。
【００１６】
アルミ箔１１は、太陽の輻射熱をおよそ９７％遮断するといわれ、アルミ箔複合フィルム１０を接着した構造用面材１を下地材に用いれば、小屋裏等の温度上昇を抑えることができる。しかし、アルミ箔複合フィルム１０を基材２０に普通に接着すると、下地材の通気性が失われることになる。そこで、アルミ箔複合フィルム１０に複数の貫通孔１０ａを設け、通気性を確保している。この貫通孔１０ａの直径は０．６ｍｍ程度とし、基本的には、アルミ箔複合フィルム１０の全面に等間隔の格子状に設けられていればよい。
【００１７】
また、アルミ箔１１は破れやすく、特に本発明のように貫通孔１０ａを設ける場合には、アルミ箔１１単体では貫通孔１０ａを起点として破損することが懸念される。そのような事態に対応するため、ポリエチレン２１とアルミ箔１１を複合させて、アルミ箔１１を補強している。これによって、アルミ箔１０が貫通孔１０ａを起点として破れることを抑止することができる。
【００１８】
なお、図１及び図２で示したアルミ箔複合フィルム１０は、クラフト紙２２、ポリエチレン２１及びアルミ箔１１を積層して複合したものであるが、クラフト紙２２を用いないで、ポリエチレン２１とアルミ箔１１だけで複合したものや、アルミ箔１１の表裏の両面にポリエチレン２１を複合したものでもよい。
【００１９】
クラフト紙２２を複合した方が、アルミ箔複合フィルム１０の強度を高めることができるが、クラフト紙２２を用いない場合であっても、若干強度は落ちるものの、遮熱機能は変わらず、通気性も十分に確保できる。また、ポリエチレン２１をアルミ箔１１の表裏に複合すれば、遮熱機能や通気性を十分に確保しつつ、アルミ箔１１の表面を保護することができるという別の効果も奏することができる。
【００２０】
図３は、本発明の構造用面材の施工位置を示すイメージ図である。構造用面材１は、前述した通り、屋根下地１ａや壁下地１ｂとして用いられるものである。このような構造用面材１を用いて施工することで、屋外からは太陽の輻射熱を遮断することができ、同時に屋内からの熱が外に逃げることを防止することも可能となる。このように、屋根下地１ａや壁下地１ｂに構造用面材１を用いて、遮熱効果を発揮することで、建物の内部を快適な空間にすることができる。
【００２１】
以上のように、本発明の構造用面材を用いれば、在来の構造用面材の施工方法と同工程で、通気性を確保しつつ、遮熱機能を付加することができるので、快適な空間を創造することができ、施工時に余分な作業を必要としないという格別の効果を奏することができる。
【符号の説明】
【００２２】
１ 構造用面材
１ａ 屋根下地
１ｂ 壁下地
１０ アルミ箔複合フィルム
１０ａ 貫通孔
１１ アルミ箔
２０ 基材
２１ ポリエチレン
２２ クラフト紙
【図１】
2017071893.tif 000003
【図２】
2017071893.tif 000004
【図３】
2017071893.tif 000005